(57)【特許請求の範囲】
【請求項１】
カートンを形成するためのブランクであって、並んで配置され、折り線（３，５，７）によって相互に連結した少なくとも３つの壁形成パネル（１，２，４，６）を有しているスリーブ形成部分と、スリーブ形成部分の片側で折り線（９）に沿って第１の壁形成パネル（１）に連結してあり、カートンを組み立てたときにスリーブ形成部分の反対側で第２の壁形成パネル（６）と係合する閉鎖タブ（８）と、折り線（16，17，18，19，20，21）に沿ってスリーブ形成部分の端部に連結してあり、組み立てたカートンの端部を閉じる端部フラップ（10，11，12，13，14，15）と、折り線（26）に沿って前記第２の壁形成パネル（６）に連結してあり、カートンを組み立てたときに、壁形成パネル（１，２，４，６）のうちの少なくとも１つに重なるようになっている付加的なパネル（25）とを包含するブランクにおいて、付加的なパネル（25）が少なくとも１つの固着用フラップ（27，28）を有し、各固着用フラップ（27，28）が折りたためる破断線（29，30）に沿って付加的なパネル（25）の一端に連結してあり、カートン組み立て時、前記端部フラップ（10，12，14；11，13，15）の１つに固定係合して前記カートンを無断開封不能とすることを特徴とするブランク。
【請求項２】
付加的なパネル（25）が、ブランクの片側に形成される固着用フラップ（28）を１つだけ有し、カートン組み立て時に付加的なパネル（25）の下に位置する第１の壁形成パネル（１）が、折り線（33）に沿って端部フラップ（32）に連結してあり、この端部フラップ（32）が、カートン組み立て時に反対側の端部フラップ（12）に固定されて前記カートンを無断開封不能とするようになっている、請求項１に記載のブランク。
【請求項３】
タックイン・タブ（22）が、折り線（23）に沿って前記端部フラップ（10，11，12，13，14，15）のうちの少なくとも１つに連結している、請求項１に記載のブランク。
【請求項４】
前記少なくとも１つの固着用フラップ（27，28）がタックイン・タブ（22）に連結した端部フラップ（13）に重なるようになっている、請求項３に記載のブランク。
【請求項５】
付加的なパネル（25）がカートン組み立て時に前記第１の壁形成パネル（１）に重なるようになっている、請求項１〜４のいずれか１つに記載のブランク。
【請求項６】
前記付加的なパネル（25）が、前記折り線（26）と反対の側に耳（31）を有する、請求項１〜５のいずれか１つに記載のブランク。
【請求項７】
付加的なパネル（25）がその下に位置する壁形成パネル（１，６）と同じ寸法あるいはそれよりも小さい寸法を有する、請求項１〜６のいずれか１つに記載のブランク。
【請求項８】
折り線（３，５，７）によって相互連結した少なくとも３つの壁形成パネル（１，２，４，６）からなるスリーブ部分と、折り線（９）に沿って第１の壁形成パネル（１）に取り付けてあり、第２の壁形成パネル（６）と係合する閉鎖タブ（８）と、スリーブ部分の端部に折り線（16，17，18，19，20，21）に沿って取り付けてあり、スリーブ部分の端部を閉じている端部フラップ（10，11；12，13；14，15）と、折り線（26）に沿って壁形成パネル（１，２，４，６）の１つに連結してあり、壁形成パネル（１，２，４，６）のうちの少なくとも１つに重なるようになっている付加的なパネル（25）とを包含するカートンにおいて、付加的なパネル（25）が少なくとも１つの固着用フラップ（27，28）を有し、この固着用フラップ（27，28）が、折りたためる破断線（29，30）に沿って付加的なパネル（２５）の一端に連結してあり、前記端部フラップ（10，12，14；11，13，15）のうちの１つと固定係合して前記カートンを無断開封不能にすることを特徴とするカートン。
【請求項９】
付加的なパネル（25）が、ブランクの片側に形成される固着用フラップ（28）を１つだけ有し、カートン組み立て時に付加的なパネル（25）の下に位置する第１の壁形成パネル（１）が、折り線（33）に沿って端部フラップ（32）に連結してあり、この端部フラップ（32）が、カートン組み立て時に反対側の端部フラップ（12）に固定されて前記カートンを無断開封不能とするようになっている、請求項８に記載のカートン。
【請求項１０】
タックイン・タブ（22）が、折り線（23）に沿って、前記端部フラップ（10，11；12，13；14，15）のうちの少なくとも１つに連結している、請求項８または９に記載のカートン。
【請求項１１】
前記少なくとも１つの固着用フラップ（27，28）が、前記タックイン・タブ（22）に連結した端部フラップ（13）に重なる、請求項１０に記載のカートン。
【請求項１２】
付加的なパネル（25）の折り線（26）がスリーブ部分の折り線（３，５，７；16，17，18，19，20，21）の１つと一致している、請求項８〜１１のいずれか１つに記載のカートン。
【請求項１３】
付加的なパネル（25）が前記第１の壁形成パネル（１）に重なる、請求項８〜12のいずれか１つに記載のカートン。
【請求項１４】
前記の付加的なパネル（25）が耳（31）を有し、この耳が、折り線（26）の反対側で付加的なパネル（25）に形成してあり、カートンから突き出ている、請求項８〜13のいずれか１つに記載のカートン。
【請求項１５】
付加的なパネル（25）が、その下に位置する壁形成パネル（１，２，４，６）と同じ寸法あるいはそれよりも小さい寸法を有する、請求項８〜１４のいずれか１つに記載のカートン。
【請求項１６】
酸分泌抑制物質である、少なくとも１種の医薬上活性な物質を持ち運ぶための、請求項８〜15のいずれか１つに記載のカートンの使用方法。
【請求項１７】
組み合わせて投与しなければならない薬剤のシステムを持ち運ぶための、請求項８〜15のいずれか１つに記載のカートンの使用方法。
【請求項１８】
前記薬剤システムが、少なくとも１つのベータ・ブロッカーと少なくとも１つの抗炎症性の物質を含有する、請求項17に記載の使用方法。
【請求項１９】
前記薬剤システムが、酸分泌抑制物質と１種またはそれ以上の抗菌物質とを含有する、請求項17に記載の使用方法。
【発明の詳細な説明】
発明の分野
本発明は、カートン（特に薬剤用に意図したもの）ならびにこのようなカートンを形成するためのブランク（blank）に関する。
発明の背景および従来技術
従来、薬剤は、たとえば、ブリスタ・パックに包製され、これらのブリスタ・パックが別体のボックスまたはカートン内に重積されている。このカートンは、矩形の平行六面体の形をしており、折り線によって相互に連結した４つの壁からなっているスリーブ部分を包含している。端部フラップが、折り線に沿ってスリーブ部分に連結してあってカートンの端部を閉じている。通常、カートンの一端は恒久的に閉ざしてあり、端部フラップは、たとえば、互いに張合せになっている。カートンの他端部はタックイン・タブによって閉ざしてあり、タックイン・タブは折り線に沿って端部フラップの１つに連結している。したがって、カートンはこの端部で簡単に開いたり、再閉鎖することができ、患者はブリスタ・パックをカートンから取り出すことができる。ユーザ説明書は、一般に、別個のリーフレットの形で同封され、カートンの内側に置かれる。
この種類の管状のカートンは、並んで配置した４つの壁形成パネルを有するスリーブ形成部分を有し、折り線によって相互に連結したほぼ矩形のブランクから作られる。閉鎖タブが、スリーブ形成部分の片側で折り線に沿って第１の壁形成パネルに連結してある。カートンを組み立てたとき、閉鎖タブが、たとえば、接着剤によって、スリーブ形成部分の反対側にある第２の壁形成パネルと係合する。ブランクは、さらに、端部フラップを包含する。端部フラップは、折り線に沿ってスリーブ形成部分の両端部に連結する。
この従来のカートンの１つの不利な点は、薬剤に関するすべての情報（たとえば、組成、副作用、製造業者、ユーザ説明書など）が、カートン内のブリスタ・パックに付随する別体のリーフレットまたはフォルダ上に印刷されていることである。したがって、リーフレットにはかなりの量の情報が含まれるが、或る種の情報（たとえば、ユーザ説明書）を見つけるには患者側に若干の努力が必要である。これらの説明書を容易に見つけられないために、年輩の患者あるいは困惑した患者は薬剤それ自体を摂取することが不可能になるかもしれない。この問題は、組み合わせて投与しなければならない異なった薬剤がカートンに収容されているときにますます顕著となる。
この公知のカートンの別の欠点は、リーフレットがカートン内に無造作に入れられていることである。したがって、ユーザは、不可欠な情報を提供する唯一のものを不覚にも失うかもしれないし、場合によっては故意にそれを投げ捨てることさえあるかもしれない。
この公知のカートンのさらなる欠点は、受取人（たとえば、患者または薬剤師）が引き渡しの前にカートンが開封されていないことを確認することができないという事実にある。別体のシール（たとえば、テープ片）がカートンに取り付けてある場合であっても、これは内容物に何ら手が加えられなかったことを保証するものではない。
発明の概要
本発明の目的は、上記問題のいくつかあるいはすべてを解決あるいは軽減することにある。より詳しくは、本発明によるカートンは、患者が薬を服用するときにユーザ説明書利用可能性（服薬尊守）を向上させ、これらの説明書が使用中に失われるリスクを減らさなければならない。
この目的は、添付の請求の範囲に記載したカートンおよびそれを形成するためのブランクによって達成される。
上記問題の解決に加えて、本発明またはその実施例は、従来技術では得ることができない以下の利点を提供する。
・上記問題は、本質的にカートンの外観をなんら変えることなく解決されることになる。したがって、患者は販売点（たとえば、薬局）で安心して十分パッケージを確認できることになる。
・このように外観に変化がないにもかかわらず、カートンは、初めて開封された後に、特に重要な情報（たとえば、ユーザ説明書）を有することができる大きい領域を与えることができる。これらの領域はカートンの一体部分となっている。
・１つの好ましい実施例において、カートンは患者への引き渡しの前の無断開封のおそれがない。その理由は、付加的なパネルの固着用フラップがカートンの端部フラップと係合しているからである。したがって、不法にカートンを開封しようとすると、破断線を破断してしまうことになる。
【図面の簡単な説明】
以下、添付図面を参照しながら本発明をさらに詳細に説明する。添付図面において：
図１ａはカートンブランクの第１実施例の平面図であり、図１ｂは図１ａのブランクから組み立てたカートンの斜視図であり、図１ｃは開封後の図１ｂのカートンの斜視図である。
図２ａはカートンブランクの第２実施例の平面図であり、図２ｂは図２ａのブランクから組み立てたカートンの斜視図であり、図２ｃは開封後の図２ｂのカートンの斜視図である。
図１ａの一体ブランクは、並んで配置した４つの壁形成パネルからなっている矩形のスリーブ形成部分を有する。壁形成パネルは、頂壁パネル１と、第１の折り線３に沿って頂壁パネル１に連結した第１の側壁パネル２と、第２の折り線５に沿って第１の側壁パネル２に連結した底壁パネル４と、第３の折り線７に沿って底壁パネル４に連結した第２の側壁パネル６とからなり、前記の折り線３、５、７は平行である。頂壁パネル１は底壁パネル４とほぼ同じ寸法を有し、第１の側壁パネル２は第２の側壁パネル６とほぼ同じ寸法を有する。したがって、組み立て時、ブランクは矩形の平行六面体として形成される。
スリーブ形成部分の片側では、閉鎖タブ８が第４の折り線９に沿って頂壁パネル１に連結している。
第１の側壁パネル２、底壁パネル４および第２の側壁パネル６の各端部で、端部フラップ１０、１１、１２、１３、１４、１５が折り線１６、１７、１８、１９、２０、２１に沿って当該パネルに連結している。次に、底壁パネル４上の端部フラップ１３の１つが折り線２３に沿ってタックイン・タブ２２に連結している。頂壁パネル１において、カットアウト２４が、スリーブ形成部分の、タックイン・タブ２２を支えている端部フラップ１３と同じ端部に形成してある。
付加的なパネル２５が、第５の折り線２６に沿って第２の側壁パネル６に恒久的に連結してあり、この付加的なパネル２５は前記の頂壁パネル１とほぼ同じ寸法を有する。付加的なパネル２５の各端部には、固着用フラップ２７、２８が設けてあり、この固着用フラップは破断線２９、３０に沿って付加的なパネル２５に連結している。固着用フラップ２７、２８は底壁パネル４の端部フラップ１２、１３とほぼ同じサイズを有する。さらに、耳３１は前記の第５の折り線２６から離れる方向に面した側で付加的なパネル２５に形成してある。
カートンを組み立てるには、閉鎖タブ８に接着剤を塗布し、それを第２の側壁パネル６と係合させ、第４の折り線９を第５の折り線２６とほぼ一致させる。次に、カートンを組み立ててスリーブを形成する。その際、側壁パネル２、６の端部フラップ１０、１４をまず折り曲げ、次に底壁パネル４の端部フラップ１２を折り曲げることによってスリーブの一端を閉じる。最後に、カートンのこの端部上の固着用フラップ２７を折り返し、底壁パネル４の端部フラップ１２に重ね、好ましくは接着剤によってそこに固定する。その後、他方の開いている端部のところで、カートンに商品（たとえば、ブリスタ・パック）を装填する。装填後、側壁パネル２、６の端部フラップ１１、１５をまず折り込み、それから底壁パネル４の端部フラップ１３を折り込むことによってカートンを閉じる。それによって、タックイン・タブ２２を側壁パネル２、６の端部フラップ１１、１５と頂壁パネル１との間に挿入する。その結果、カットアウト２４がタックイン・タブ２２の一部を露出させる。最後に、固着用フラップ２８を折り返し、底壁パネル４の端部フラップ１３に重ね、好ましくは接着剤によってそこに固定する。
図１ｂにおいて、カートンは組み立て、シールした状態で示してある。個々で、カートンが無断開封不能であり、破断線２９、３０のどちらかを破断しない限り内容物に誰もアクセスすることができないということは了解されたい。
図１ｂのカートンは、患者が耳３１を把持し、頂壁１から離れるように矢印Ａで示す方向に付加的なパネル２５を引き、付加的なパネル２５を破断線２９に沿って固着用フラップ２７、２８から分離することによって初めて開封される。次に、カットアウト２４を通して患者がタックイン・タブ２２を把持し、スリーブから離れる方向へタックイン・タブ２２を引くことによってカートンを従来通りに開封することができる。こうして開いたカートンが図１ｃに示してある。
所望により、カートンが複数のタックイン・タブ、すなわち、スリーブの各端部に１つずつタックイン・タブを有していてもよいことは明らかである。
本発明による付加的なパネル２５を使用することによって、大きい領域を頂壁１の表面に与え、付加的なパネル２５の表面を前記頂壁１に対面させることができる。この領域において、テキストまたは図面による説明あるいはこれら両方で最も重要なユーザ説明書を与え、リーフレットに記載した一般的な情報から切り離すことができる。
説明書を付加的なパネルまたはその下の壁面、すなわちカートンの一体部分に印刷することができるという事実は、治療中にこれらの説明書を患者が失うというリスクを軽減する。
さらに、カートンが患者に引き渡されたとき、付加的なパネル２５が頂壁１を覆っているので、そこに印刷されたテキストが見えなくなったり、カートンの外観を損なったり、またはどんな形であれ変わったりすることがない。
図２ａ〜ｃにおいて、第２の好ましい実施例が示してある。図１と比べて、同様の要素には同様の参照符号が与えてある。
第２実施例のブランクは、図２ａに示すように、固着用フラップ２８が１つだけであり、この固着用フラップが破断線３０に沿って付加的なパネル２５の一端に連結してあるという点で第１の実施例のブランクとは異なる。さらに、端部フラップ３２が、ブランクの反対端部上で、折り線３３に沿って頂壁パネル１に連結してある。この端部フラップ３２は底壁パネル４の端部フラップ１２とほぼ同じ寸法を有する。
このカートンは、第１の実施例のカートンと同様の方法で組み立てる。まず、閉鎖タブ８を第２の側壁パネル６と係合させる。次に、スリーブを形成するようにカートンを組み立てる。その際、まず側壁パネル２、６の端部フラップ１０、１４を折り込み、次いで底壁パネル４の端部フラップ１２を折り込むことによってスリーブの一端を閉じる。最後に、頂壁パネル１の端部フラップ３２を折り返して、底壁パネル４の端部フラップ１２に重ね、好ましくは接着剤によってそこに固定する。
商品を装填した後に、まず側壁パネル２、６の端部フラップ１１、１５を折り込み、次いでタックイン・タブ２２を折り込むことによってカートンを閉じる。最後に、付加的なパネル２５を頂壁パネル１上へ折り重ねる。その際、固着用フラップ２８を折り曲げ、タックイン・タブ２２を支えている端部フラップ１３に重ね、好ましくは接着剤によってそこに固定する。
図２ｂ（組み立て、シールした状態でカートンを示す）から明白なように、カートンが無断開封のおそれはない。
図２ｂのカートンは、図１ｂの実施例と同じ方法で開封される。このように開封されたカートンが図２ｃに示してある。
第１の実施例と同じ利点を有することとは別に、第２の実施例のカートンは、患者が前記破断線３０を破断した後でさえ完全にシールすることができるというさらなる利点を有する。図１ｃから明らかなように、第１実施例のカートンは、ひとたび開封されたならば、タックイン・タブ２２の反対側の端で、頂壁パネル１と端部フラップ１０、１２、１４との間にギャップを与える。第２の実施例では、頂壁パネル１の端部フラップ３２が常時このギャップを密封する。したがって、粒子またはほこりがカートンを入るというリスクはない。
図示の両実施例において、付加的な固定手段、たとえば、接着剤を線状にまたは小滴用いて付加的なパネル２５を頂壁１と係合させてもよい。明らかに、この付加的な固定手段は付加的なパネル２５を頂壁１に着脱自在に取り付けることができる。したがって、必要なとき以外には、付加的なパネル２５および頂壁１上の情報を隠すことができる。
一実施例（図示せず）において、付加的なパネルは固着用フラップを有していない。この場合、付加的なパネルを頂壁と係合させるために付加的な固定手段を設けなければならない。この種のカートンは、ユーザ説明書での服薬尊守を高め、これらの説明書が使用時に失われるというリスクを軽減することができる。しかしながら、この実施例は、引き渡しの前に無断開封のおそれがあるという不利な点を有する。
１つの好ましい実施例においては、本発明によるカートンは、冠状動脈疾患治療用の薬剤を持ち運ぶのに使用される。この薬剤としては、たとえば、少なくとも１種のベータ・ブロッカー、好ましくは、メトプロロールまたはイソソルビドモノニトレートと、少なくとも１種の抗炎症物質、好ましくはアセチルサルチル酸との組み合わせがある。別の適当な組み合わせとしては、ベータ・ブロッカー、たとえば、メトプロロールまたはイソソルビドモノニトレートと、脂質低下物質、たとえば、フルバスタチンとの組み合わせである。
別の好ましい実施例においては、本発明によるカートンはHelicobacterpylori治療用の薬剤を持ち運ぶために使用される。このような薬剤としては、たとえば、酸分泌抑制物質、好ましくはオメプラゾールと、少なくとも１種の抗菌物質、たとえば、以下の抗生物質から選ばれた１種またはそれ以上の物質との組み合わせがある。その抗生物質とは、クラリスロマイシン、エリスロマイシン、ロキシスロマイシン、アジスロマイシン、アモキシシリン、メトロニダゾール、チニダゾールおよびテトラサイクリンである。オメプラゾールとクラリスロマイシンまたはメトロニダゾールあるいはこれら両方との組合わせが特に適当である。
【図１ａ】
0003902237.tif 000002
【図１ｂ】
0003902237.tif 000003
【図１ｃ】
0003902237.tif 000004
【図２ａ】
0003902237.tif 000005
【図２ｂ】
0003902237.tif 000006
【図２ｃ】
0003902237.tif 000007